(57)【要約】【課題】吸収性物品に個装の際の折癖が残ったとしても、隙間が生じないように、ループ形状の防漏壁を装着者に密着させ、漏れ防止性に優れた吸収性物品を提供すること。【解決手段】本発明の生理用ナプキン１Ａは、表面シート２、裏面シート３及び吸収体４を具備する縦長の吸収性本体５と、その長手方向両側部５ａに中空のループ状の防漏壁７とを備えている。防漏壁７は、装着者の体液排泄部に当接される排泄部領域ａを含む、排泄部領域ａからその後方にかけての領域ｂ及び該排泄部領域ａからその前方にかけての領域ｃの少なくとも何れか一方に、該防漏壁７の高さが部分的に高い高壁部７１を有している。【選択図】図１
2010110558.tif 000002
【特許請求の範囲】
【請求項１】
肌当接面を形成する表面シート、非肌当接面を形成する裏面シート及び両シート間に介在する吸収体を有する縦長の吸収性本体と、該吸収性本体の長手方向両側部それぞれに帯状の伸縮性シートを接合して形成された中空のループ状の防漏壁とを備えた縦長の吸収性物品であって、
前記防漏壁それぞれは、装着者の体液排泄部に当接される排泄部領域を含む、該排泄領域からその後方にかけての領域及び該排泄部領域からその前方にかけての領域の少なくとも何れか一方に、該防漏壁の高さが部分的に高い高壁部を有している吸収性物品。
【請求項２】
前記伸縮性シートは、その長手方向の一側部が前記吸収性本体の側部における肌当接面側に接合され、その長手方向の他側部が該吸収性本体の側部における非肌当接面側に接合されており、
前記一側部が接合された接合部及び前記他側部が接合された接合部同士の間の幅方向距離が括れて短い括れ部を、前記排泄部領域からその後方にかけての領域及び該排泄部領域からその前方にかけての領域の少なくとも何れか一方に有することにより、前記括れ部において前記高壁部が形成されている請求項１に記載の吸収性物品。
【請求項３】
前記伸縮性シートの前記一側部が接合された接合部は、前記括れ部を形成している部分において、前記ループ状の防漏壁の中空内に向って凸状に湾曲又は屈曲している請求項２に記載の吸収性物品。
【請求項４】
前記伸縮性シートは、その長手方向の一側部及びその長手方向の他側部それぞれが前記吸収性本体の側部における肌当接面側に接合され、該他側部が該一側部より前記吸収性物品の幅方向の外方の位置に接合されており、
前記伸縮性シートの前記他側部が接合された接合部が、前記排泄部領域からその後方にかけての領域及び該排泄部領域からその前方にかけての領域の少なくとも何れか一方に、前記吸収性物品の幅方向の内方に向って凸状に湾曲又は屈曲している内方凸部を有し、
さらに前記伸縮性シートの前記一側部が接合された接合部は、前記他側部側の前記接合部が前記内方凸部を形成している部分において、前記吸収性物品の幅方向の外方に向って凸状に湾曲又は屈曲している外方凸部を有していることにより、前記高壁部が形成されている請求項１に記載の吸収性物品。
【請求項５】
前記内方凸部の吸収性物品幅方向の長さが、前記外方凸部の吸収性物品幅方向の長さよりも長い請求項４に記載の吸収性物品。
【請求項６】
前記伸縮性シートは、その長手方向の一側部が前記表面シートの側部における肌当接面に接合され、その長手方向の他側部が該吸収性本体の側部における非肌当接面側に、又は前記表面シートの側部における肌当接面であって、前記一側部より前記吸収性物品の幅方向の外方の位置に接合されており、
前記伸縮性シートの前記一側部が接合された接合部が、前記排泄部領域からその後方にかけての領域及び該排泄部領域からその前方にかけての領域の少なくとも何れか一方の領域に、前記表面シートと接合されていない非接合部を有することにより、前記高壁部が形成されている請求項１に記載の吸収性物品。
【発明の詳細な説明】
【技術分野】
【０００１】
本発明は、生理用ナプキンや失禁パッド等の吸収性物品に関する。
【背景技術】
【０００２】
従来、着用中の経血等の体液が幅方向に移動して側縁部から漏れてしまう横漏れを防止するため、長手方向両側縁部それぞれに防漏壁を設けた生理用ナプキンが知られている。
また、防漏壁の装着者へのフィット性を高める為に、中空のループ形状の防漏壁が知られている。例えば、特許文献１には、フィット性が高く、装着者の足の動き等の左右からの応力がかかった場合においても、中空のループ形状で緩衝し、生理用ナプキンにヨレを発生させず、漏れ防止性の高い中空のループ形状の防漏壁を備えた生理用ナプキンが開示されている。
【０００３】
生理用ナプキンは長いものであるため、通常、３つ折の状態で又は４つ折の状態で個装される。個装の際の折癖が生理用ナプキンに残ると、隙間の発生の要因となり、生理用ナプキンの使用時に、防漏壁を装着者に十分に密着させることができず、横漏れが発生する可能性がある。
【０００４】
【特許文献１】特開平１１−２９９８２１号公報
【発明の開示】
【発明が解決しようとする課題】
【０００５】
従って、本発明の目的は、吸収性物品に個装の際の折癖が残ったとしても、隙間が生じないように、ループ形状の防漏壁を装着者に密着させ、漏れ防止性に優れた吸収性物品を提供することにある。
【課題を解決するための手段】
【０００６】
本発明は、肌当接面を形成する表面シート、非肌当接面を形成する裏面シート及び両シート間に介在する吸収体を有する縦長の吸収性本体と、該吸収性本体の長手方向両側部それぞれに帯状の伸縮性シートを接合して形成された中空のループ状の防漏壁とを備えた縦長の吸収性物品であって、前記防漏壁それぞれは、装着者の体液排泄部に当接される排泄部領域を含む、該排泄領域からその後方にかけての領域及び該排泄部領域からその前方にかけての領域の少なくとも何れか一方に、該防漏壁の高さが部分的に高い高壁部を有している吸収性物品を提供することにより前記目的を達成したものである。
【発明の効果】
【０００７】
本発明の吸収性物品によれば、個装の際の折癖によっても、ループ形状の防漏壁と装着者との間に隙間を生じ難いので、防漏壁を装着者に密着させることができ、漏れ防止性を高めることができる。
【発明を実施するための最良の形態】
【０００８】
以下、本発明の吸収性物品である生理用ナプキンの好ましい一実施形態について、図１〜図３に基づいて説明する。
【０００９】
第１実施形態の生理用ナプキン１Ａは、図１に示すように、生理用ナプキン１Ａの長手方向に延びる中心線ＣＬに対して左右対称に形成されている。
従って、以下には、主として生理用ナプキン１Ａの左側の構成について詳述し、右側の構成については、適宜説明を省略し、左側の構成要素に対応する右側の構成要素は、符号にダッシュ(’)を付してある。
【００１０】
第１実施形態の吸収性物品（生理用ナプキン）１は、図１〜図３に示すように、肌当接面を形成する表面シート２、非肌当接面を形成する裏面シート３及び両シート２，３間に介在する吸収体４を有する実質的に縦長の吸収性本体５と、該吸収性本体５の長手方向両側部５ａ，５ａ’それぞれに帯状の伸縮性シート６，６’を接合して形成された中空のループ状の防漏壁７，７’とを備えている。
防漏壁７，７’それぞれは、図１，図２に示すように、装着者の体液排泄部に当接される排泄部領域ａを含む、排泄部領域ａからその後方にかけての領域ｂ及び該排泄部領域ａからその前方にかけての領域ｃの少なくとも何れか一方に、該防漏壁７，７’の高さが部分的に高い高壁部７１，７１’を有している。
【００１１】
ここで、「排泄部領域ａ」とは、装着者の体液排泄部に当接される領域を意味する。第１実施形態の生理用ナプキン１Ａのように、ウイング部３１，３１’を有する吸収性物品における排泄部領域ａは、通常、吸収性物品（生理用ナプキン１Ａ）の長手方向においてウイング部３１，３１’を有する領域である。ウイング部３１，３１’を有しない吸収性物品における排泄部領域ａは、生理用ナプキンが個装形態に折り畳まれた際に生じる製品長手方向（ＣＬ線方向）に直交する２つの折線について、生理用ナプキンの長手方向の前端から数えて第１折線と第２折線とに囲まれた領域と同じか又は狭い領域を言う。また、生理用ナプキンの製品長が長く３つの折線が生じる場合には、製品の長手方向の前端から数えて第１折線と第２折線に囲まれた領域あるいは製品の長手方向の前端から数えて第１折線と第３折線とに囲まれた領域と同じか又は狭い領域を言う。
【００１２】
「排泄部領域ａからその後方にかけての領域ｂ」とは、生理用ナプキン１Ａの長手方向において排泄部領域ａと重なっている領域であるが、排泄部領域ａの中央を含まず、排泄部領域ａの中央よりも後方の領域である。「排泄部領域ａからその前方にかけての領域ｃ」も同様に、排泄部領域ａの中央よりも前方の領域である。
【００１３】
第１実施形態の生理用ナプキン１Ａについて、詳述すると、第１実施形態の生理用ナプキン１Ａは、図１〜図３に示すように、液透過性の表面シート２、液不透過性又は撥水性の裏面シート３及び吸収体４を具備し、表面シート２と吸収体４とを固定する一対のエンボス溝９を具備している。エンボス溝９は、生理用ナプキン１Ａの両側部に、長手方向（ＣＬ線方向）に延びて延在している。表面シート２及び裏面シート３それぞれは、吸収体４よりも長手方向（ＣＬ線方向）に大きい外径寸法を有している。表面シート２及び裏面シート３は、生理用ナプキン１Ａの長手方向（ＣＬ線方向）の両端部ｂ１，ｃ１において、吸収体４の長手方向の両端部から延出し、その延出部は互いにヒートシール等により接合されて吸収性本体５を形成している。生理用ナプキン１Ａは、吸収性本体５の長手方向の両側部５ａに防漏壁７を有している。第１実施形態の生理用ナプキン１Ａは、その長手方向（ＣＬ線方向）における中央部より前寄りの位置に一対のウイング部３１を有している。ウイング部３１は、裏面シート３を延出することにより形成されており、その裏面には、該ウイング部３１を、ショーツのクロッチ部の非肌対向面に固定するための粘着部３２が形成されている。これらの構成は、従来品と同じである。
【００１４】
次いで、第１実施形態の生理用ナプキン１Ａのループ状の防漏壁７について説明する。
第１実施形態の生理用ナプキン１Ａでは、図１〜図３に示すように、帯状の伸縮性シート６が、吸収性本体５の長手方向（ＣＬ線方向）の側部５ａに、長手方向に沿って、配設及び固定されており、伸縮性シート６の収縮により、肌当接面側に凸に起立したの中空のループ状の防漏壁７が形成される。ここで、「起立」とは、図３に示すように、中空のループ状の防漏壁７の頂部７ａが表面シート２の表面よりも上方に位置する状態を意味する。
【００１５】
上記伸縮性シート６は、第１実施形態の生理用ナプキン１Ａにおいては、弾性部材６３により伸縮性が付与された複合シートである。伸縮性シート６は、図２及び図３に示すように、肌当接面側のシート６１と、非肌当接面側のシート６２と、それらのシート６１，６２間に、複数本の弾性部材６３を配置して形成されている。肌当接面側のシート６１と、非肌当接面側のシート６２とは、同形同大の帯状（長方形状）のシートであり、上記伸縮性シート６は、肌当接面側のシート６１と非肌当接面側のシート６２との間に、糸状の弾性部材６３を、シート６１，６２の長手方向（ＣＬ線方向）に配置し、複数本の弾性部材６３それぞれを、帯状のシート６１，６２の幅方向（ＣＬ線方向と直交方向）に均等に配置して形成されている。複数本の弾性部材６３それぞれは、図１に示すように、防漏壁７を形成した際、装着者の体液排泄部に当接される排泄部領域ａより長く配置されている。
【００１６】
上記伸縮性シート６は、図２及び図３に示すように、伸縮性シート６の長手方向（ＣＬ線方向）の一側部６ａが吸収性本体５の側部５ａにおける肌当接面側に接合され、伸縮性シート６の長手方向（ＣＬ線方向）の他側部６ｂが吸収性本体５の側部５ａにおける非肌当接面側に接合されている。第１実施形態の生理用ナプキン１Ａにおいては、伸縮性シート６は、図３に示すように、表面シート２及び吸収体４を挟持するように、伸縮性シート６の長手方向の一側部６ａの非肌当接面側のシート６２の表面が、表面シート２の肌当接面側の表面に接合されて接合部８ａを形成している。また、伸縮性シート６の長手方向の他側部６ｂは、吸収体４と裏面シート３との間に配され、他側部６ｂの非肌当接面側のシート６２の表面が、吸収体４の非肌当接面側の表面に接合されて接合部８ｂを形成している。
【００１７】
上記伸縮性シート６の接合部８ａは、吸収性本体５の長手方向（ＣＬ線方向）の側部５ａに、長手方向に沿って連続して形成されている。接合部８ｂも同様に、吸収性本体５の長手方向（ＣＬ線方向）の側部５ａに、長手方向に沿って連続して形成されている。接合部８ａ及び接合部８ｂは、生理用ナプキン１Ａの長手方向の側端から、１０ｍｍ〜３０ｍｍの位置に形成されており、第１実施形態の生理用ナプキン１Ａにおいては、図２，図３に示すように、接合部８ａの位置が、接合部８ｂの位置よりも、生理用ナプキン１Ａの幅方向（ＣＬ線方向と直交する方向）の内方（Ｘ４方向：ＣＬ線方向と直交する方向であって、生理用ナプキン１Ａの中心線ＣＬに向う方向）に形成されている。このように、帯状の伸縮性シート６を、吸収性本体５の長手方向（ＣＬ線方向）の側部５ａに、配設及び接合しているため、伸縮性シート６が収縮することにより、中空のループ状に起立した部分を有する防漏壁７が形成される。
【００１８】
上記吸収体４は、排泄部領域ａを含む、排泄部領域ａからその後方にかけての領域ｂ及び排泄部領域ａからその前方にかけての領域ｃの少なくとも何れか一方に凹欠部４１を有している。吸収体４が凹欠部４１を有することにより、防漏壁７には、高さが部分的に高い高壁部７１が形成される。第１実施形態の生理用ナプキン１Ａにおける吸収体４は、前記排泄部領域ａからその後方にかけての領域ｂに、凹欠部４１を有している。凹欠部４１は、生理用ナプキン１Ａの幅方向（ＣＬ線方向と直交する方向）の内方（Ｘ４方向）に向って凸状に湾曲した部分である。凹欠部４１の頂部における生理用ナプキン１Ａの幅方向（ＣＬ線方向と直交する方向）の長さｈ１は、好ましくは１０ｍｍ〜３０ｍｍであり、更に好ましくは１０ｍｍ〜２０ｍｍである。長さｈ１が１０ｍｍ以上であれば、生理用ナプキン１Ａが個装形態に折り畳まれた際に生じる製品長手方向に直交する折線部分においても防漏壁７が起立でき、ループ形状の防漏壁７と装着者との間に隙間を生じさせ難い。長さｈ１が３０ｍｍ以下であれば、使用者の足の動きや装着状態（姿勢）等による外的な応力が生じた場合に、防漏壁７が吸収体４上に倒れこんだとしても必要な吸収面領域が確保できる。
【００１９】
第１実施形態の生理用ナプキン１Ａにおいては、伸縮性シート６の一側部６ａが接合された接合部８ａは、吸収体４が凹欠部４１を形成している部分において、ループ状の防漏壁７の中空内に向かって、即ち、生理用ナプキン１Ａの幅方向（ＣＬ線方向と直交する方向）の外方（Ｘ５方向：Ｘ４方向と反対方向）に向って凸状に湾曲しており、外方凸部８ａ１を有している。外方凸部８ａ１は、吸収体４が凹欠部４１を形成している部分、即ち、前記排泄部領域ａからその後方にかけての領域ｂに設けられている。このように、吸収体４が凹欠部４１を形成している部分においては、一側部６ａが接合されて形成された外方凸部８ａ１の頂部と、他側部６ｂが接合された接合部８ｂとの間の幅方向（ＣＬ線方向と直交する方向）距離が括れて短い括れ部８ｃを形成している。防漏壁７は、幅方向（ＣＬ線方向と直交する方向）距離の短い括れ部８ｃにおいて、高さが部分的に高くなり、高壁部７１が形成される。外方凸部８ａ１の頂部における生理用ナプキン１Ａの幅方向（ＣＬ線方向と直交する方向）の長さｈ２は、好ましくは５ｍｍ〜３０ｍｍであり、更に好ましくは７ｍｍ〜２０ｍｍである。長さｈ２が５ｍｍ以上であれば、生理用ナプキン１Ａが個装形態に折り畳まれた際に生じる製品長手方向に直交する折線部分においても防漏壁７が起立でき、ループ形状の防漏壁７と装着者との間に隙間を生じさせ難い。長さｈ２が３０ｍｍ以下であれば、使用者の足の動きや装着状態（姿勢）等による外的な応力が生じた場合に、防漏壁７が吸収体４上に倒れこんだとしても必要な吸収面領域が確保できる。
【００２０】
上記防漏壁７を形成する複合シートは、図１に示すように、防漏壁７のループ状をなしている部分の前方及び後方、第１実施形態の生理用ナプキン１Ａにおいては、長手方向（ＣＬ線方向）の両端ｂ１，ｃ１に至るまで、弾性部材６３が配置されておらず、伸縮性シート６を形成していない。複合シートを形成する肌当接面側のシート６１及び非肌当接面側のシート６２は、弾性部材６３が配置されていない領域において、肌当接面側に凸に起立した中空のループ状の防漏壁７を形成しないように、積極的に折り曲げられている。防漏壁７を形成する複合シートは、生理用ナプキン１Ａの長手方向（ＣＬ線方向）の両端ｂ１，ｃ１においては、表面シート２及び裏面シート３と同様に、吸収体４の長手方向の両端部から延出し、その延出部はヒートシールまたはホットメルト等により接合固定されている。
【００２１】
第１実施形態の生理用ナプキン１Ａの形成材料について説明する。
上記表面シート２、上記裏面シート３及び上記吸収体４としては、通常、生理用ナプキン等の吸収性物品に用いられるものであれば、特に制限なく用いることができる。
【００２２】
上記防漏壁７を形成する上記伸縮性シート６としては、伸縮性を有し、少なくとも排泄部領域ａにおいて、防漏壁７が肌当接面側に凸に起立したループ形状を保ちながら違和感なく自在に変形する剛性を持つことが好ましい。
【００２３】
上記伸縮性シート６の伸縮物性は、生理用ナプキン１Ａの長手方向（ＣＬ線方向）において、５〜５０％伸張した時の応力が５０〜５００ｇｆ／２５ｍｍが好ましく、１００〜３００ｇｆ／幅２５ｍｍがより好ましい。
また、上記伸縮性シート６の剛性は、バルクソフトネス値で５〜２００ｇｆが好ましく、１０〜１００ｇｆがより好ましい。バルクソフトネス値が５ｇｆ未満であると、柔らかすぎループ形状を安定に保てず、２００ｇｆを超えると、装着時に自在に変形しなかったり、違和感となるので好ましくない。
尚、バルクソフトネスは、下記の如く測定できる。即ち、弾性シートを長手方向に１５０ｍｍ、幅方向に３０ｍｍの大きさの帯状体として切り出し、この帯状体の長手方向両端を５ｍｍ重ね合わせ、円筒状になる様にし、この重ね合わせた部分を側縁（円筒の上下縁）からほぼ１０ｍｍの位置にステープルで２ヶ所固定する。次いで、テンシロン圧縮試験機にて、圧縮速度１０ｍｍ／分の速度で圧縮し、円筒が座屈するまでの最大圧縮強度を測定する。測定回数５回の平均値をとって、バルクソフトネス値とする。
【００２４】
上記伸縮性シート６のシート材料としては、伸縮性のフィルム、伸縮性の不織布、伸縮性の織物又はそれらの積層シート等が挙げられる。具体的には、天然ゴム、ポリウレタン、ポリスチレン−ポリイソプレン共重合体、ポリスチレン−ポリブタジエン共重合体、ポリエチレン−アクリル酸エチル等のポリエチレン−αオレフィン共重合体等からなる材自体が伸縮性を有する材料や、上述したように、これら伸縮性の材料を糸状にした弾性部材６３を肌当接面側のシート６１と非肌当接面側のシート６２との間に配置した複合シートが挙げられる。
【００２５】
上記伸縮性シート６の肌当接面側のシート６１としては、肌触りを良好にするため、ポリエチレン／ポリエステル、ポリエチレン／ポリプロピレン、ポリプロピレンからなる熱可塑性不織布であることが好ましい。非肌当接面側のシート６２も同様である。この様な熱可塑性不織布は、不織布自体が伸縮性を有するように、クリンプ加工した繊維を用いることが好ましい。クリンプ加工されていない繊維による伸縮し難い不織布を肌当接面側のシート６１及び非肌当接面側のシート６２に使用する場合には、あらかじめ弾性部材６３を所定の伸張率まで伸張し、それを肌当接面側のシート６１及び非肌当接面側のシート６２間に、等間隔で配置し、ホットメルトやヒートシール等によって接着することによって、複合シートを作成しても良い。
【００２６】
上記伸縮性シート６の接合部８ａ，８ｂは、ヒートシールや接着剤等により行うことができる。第１実施形態の生理用ナプキン１Ａにおいては、接合部８ａの接合は接着剤により行われており、接合部８ｂの接合も同様に、接着剤により行われている。また、伸縮性シート６の非肌当接面側のシート６２と吸収体４との接合及び表面シート２と吸収体４との接合も、接着剤により行われている。
【００２７】
次に上述した本発明の第１実施形態の生理用ナプキン１Ａを使用した際の作用効果について説明する。
第１実施形態の生理用ナプキン１Ａにおいては、図３に示すように、伸縮性シート６の一側部６ａが、表面シート２の肌当接面側の表面に接合されて接合部８ａを形成し、伸縮性シート６の他側部６ｂが、吸収体４の非肌当接面側の表面に接合されて接合部８ｂを形成している。そのため、伸縮性シート６の収縮により、ループ状に起立した防漏壁７を形成する際、伸縮性シート６の一側部６ａ側の防漏壁７の起立側端は、接合部８ａに沿って形成され、伸縮性シート６の他側部６ｂ側の防漏壁７の起立側端は、吸収体４に沿って形成される。第１実施形態の生理用ナプキン１Ａの吸収体４は、図２に示すように、排泄部領域ａからその後方にかけての領域ｂに、凹欠部４１を有している。そのため、第１実施形態の生理用ナプキン１Ａは、凹欠部４１のある領域（領域ｂ）において、接合部８ａと接合部８ｂとの間の幅方向（ＣＬ線方向と直交する方向）距離が短い括れ部８ｃを有しており、伸縮性シート６の一側部側の防漏壁７の起立側端と他側部６ｂ側の防漏壁７の起立側端との距離が凹欠部４１に沿って狭くなり、それに対応して、防漏壁７の高さが部分的に高い高壁部７１を形成する。このように、第１実施形態の生理用ナプキン１Ａの防漏壁７は、排泄部領域ａからその後方にかけての領域ｂに、高壁部７１を有しているため、個装の際の折癖が生じても、ループ形状の防漏壁と装着者との間に隙間を生じ難いので、防漏壁を装着者に密着させることができ、生理用ナプキン１Ａの漏れ防止性を高めることができる。
【００２８】
また、第１実施形態の生理用ナプキン１Ａにおいては、伸縮性シート６の一側部６ａ側の接合部８ａは、外方凸部８ａ１を有している。外方凸部８ａ１は、前記排泄部領域ａからその後方にかけての領域ｂに形成されているため、括れ部８ｃの幅方向（ＣＬ線方向と直交する方向）距離、即ち、伸縮性シート６の一側部側の防漏壁７の起立側端と他側部６ｂ側の防漏壁７の起立側端との距離が、凹欠部４１に沿って更に狭くなっており、それに対応して、防漏壁７の高さが部分的に更に高い高壁部７１を形成する。その為、個装の際の折癖が生じても、ループ形状の防漏壁と装着者との間に隙間を更に生じ難いので、防漏壁を装着者に更に密着させることができ、生理用ナプキン１Ａの漏れ防止性を更に高めることができる。
【００２９】
次に、本発明の第２実施形態の生理用ナプキンについて、図４〜図６に基づいて説明する。
第２実施形態の生理用ナプキン１Ｂについては、第１実施形態の生理用ナプキン１Ａと異なる点について説明する。特に説明しない点は、第１実施形態の生理用ナプキン１Ａと同様であり、第１実施形態の生理用ナプキン１Ａの説明が適宜適用される。
【００３０】
第２実施形態の生理用ナプキン１Ｂの伸縮性シート６は、図４及び図５に示すように、伸縮性シート６の長手方向（ＣＬ線方向）の一側部６ａ及び伸縮性シート６の長手方向（ＣＬ線方向）の他側部６ｂそれぞれが吸収性本体５の側部５ａにおける肌当接面側に接合され、他側部６ｂが一側部６ａより生理用ナプキン１Ｂの幅方向（ＣＬ線方向と直交する方向）の外方（Ｘ５方向）の位置に接合されている。第２実施形態の生理用ナプキン１Ｂにおいては、表面シート２及び裏面シート３が、生理用ナプキン１Ｂの長手方向（ＣＬ線方向）の両端部ｂ１，ｃ１及び生理用ナプキン１Ｂの長手方向（ＣＬ線方向）の両側部において、吸収体４から延出し、その延出部を互いにヒートシール等により接合して吸収性本体５を形成している。伸縮性シート６は、図５に示すように、伸縮性シート６の長手方向の一側部６ａの非肌当接面側のシート６２の表面が、表面シート２の肌当接面側の表面に接合されて接合部８ａを形成している。同様に、伸縮性シート６の長手方向の他側部６ｂの非肌当接面側のシート６２の表面が、表面シート２の肌当接面側の表面に接合されて接合部８ｂを形成している。
【００３１】
第２実施形態の生理用ナプキン１Ｂの接合部８ｂの形成位置は、図５に示すように、接合部８ａの形成位置よりも、生理用ナプキン１Ｂの幅方向（ＣＬ線方向と直交する方向）の外方（Ｘ５方向）に設けられている。接合部８ａは、生理用ナプキン１Ｂの長手方向の側端から、１０ｍｍ〜３０ｍｍの位置に形成されており、接合部８ｂは、生理用ナプキン１Ｂの長手方向の側端から、５ｍｍ〜２５ｍｍの位置に形成されている。第２実施形態の生理用ナプキン１Ｂにおいては、接合部８ａ，８ｂの接合は何れも接着剤により行われている。
【００３２】
第２実施形態の生理用ナプキン１Ｂにおいては、伸縮性シート６の他側部６ｂが接合された接合部８ｂが、排泄部領域ａからその後方にかけての領域ｂに、生理用ナプキン１Ａの幅方向（ＣＬ線方向と直交する方向）の内方（Ｘ４方向）に向って凸状に湾曲しており、内方凸部８ｂ１を有している。
【００３３】
第２実施形態の生理用ナプキン１Ｂにおいては、図６に示すように、伸縮性シート６の一側部６ａも生理用ナプキン１Ｂの幅方向（ＣＬ線方向と直交する方向）の外方（Ｘ５方向）に向って凸状に湾曲した外方凸部８ａ１を有している。
第２実施形態の生理用ナプキン１Ｂにおいては、図６に示すように、接合部８ａの外方凸部８ａ１と、接合部８ｂの内方凸部８ｂ１との間の幅方向（ＣＬ線方向と直交する方向）距離が短い括れ部８ｃを有していることにより、防漏壁７には、高さが部分的に高い高壁部７１が形成される。
【００３４】
第２実施形態の生理用ナプキン１Ｂにおいては、図６に示すように、内方凸部８ｂ１の生理用ナプキン１Ａの幅方向（ＣＬ線方向と直交する方向）の長さｈ３が、外方凸部８ａ１の幅方向（ＣＬ線方向と直交する方向）の長さｈ２よりも高く、長さｈ３は、好ましくは７ｍｍ〜３５ｍｍであり、更に好ましくは１０ｍｍ〜２５ｍｍである。長さｈ３が７ｍｍ以上であれば、生理用ナプキン１Ｂが個装形態に折り畳まれた際に生じる製品長手方向に直交する折線部分においても防漏壁７が起立でき、ループ形状の防漏壁７と装着者との間に隙間を生じさせ難い。長さｈ３が３５ｍｍ以下であれば、使用者の足の動きや装着状態（姿勢）等による外的な応力が生じた場合に、防漏壁７が吸収体４上に倒れこんだとしても必要な吸収面領域が確保できる。
【００３５】
次に上述した本発明の第２実施形態の生理用ナプキン１Ｂを使用した際の作用効果について説明する。
第２実施形態の生理用ナプキン１Ｂにおいては、図４に示すように、伸縮性シート６の一側部６ａ及び他側部６ｂが、表面シート２の肌当接面側の表面に接合されて接合部８ａ，８ｂをそれぞれ形成している。そのため、伸縮性シート６の収縮により、ループ状に起立した防漏壁７を形成する際、伸縮性シート６の一側部側の防漏壁７の起立側端は、接合部８ａに沿って形成され、伸縮性シート６の他側部６ｂ側の防漏壁７の起立側端は、接合部８ｂに沿って形成される。第２実施形態の生理用ナプキン１Ｂの接合部８ｂは、図４に示すように、排泄部領域ａからその後方にかけての領域ｂに、内方凸部８ｂ１を有しているため、第２実施形態の生理用ナプキン１Ｂは、領域ｂにおいて、括れ部８ｃの幅方向（ＣＬ線方向と直交する方向）距離、即ち、伸縮性シート６の一側部６ａ側の防漏壁７の起立側端と他側部６ｂ側の防漏壁７の起立側端との距離が内方凸部８ｂ１に沿って狭くなっており、それに対応して、防漏壁７の高さが部分的に高い高壁部７１を形成する。このように、第２実施形態の生理用ナプキン１Ｂの防漏壁７は、排泄部領域ａからその後方にかけての領域ｂに、高壁部７１を有しているため、個装の際の折癖が生じても、ループ形状の防漏壁と装着者との間に隙間を生じ難いので、防漏壁を装着者に密着させることができ、生理用ナプキン１Ｂの漏れ防止性を高めることができる。
【００３６】
また、第２実施形態の生理用ナプキン１Ｂにおいては、伸縮性シート６の一側部６ａ側の接合部８ａは、外方凸部８ａ１を有している。外方凸部８ａ１は、前記排泄部領域ａからその後方にかけての領域ｂに形成されているため、括れ部８ｃの幅方向（ＣＬ線方向と直交する方向）距離、即ち、伸縮性シート６の一側部側の防漏壁７の起立側端と他側部６ｂ側の防漏壁７の起立側端との距離が、外方凸部８ａ１に沿って更に狭くなっており、それに対応して、防漏壁７の高さが部分的に更に高い高壁部７１を形成する。その為、個装の際の折癖が生じても、ループ形状の防漏壁と装着者との間に隙間を更に生じ難いので、防漏壁を装着者に更に密着させることができ、生理用ナプキン１Ｂの漏れ防止性を更に高めることができる。
【００３７】
また、第２実施形態の生理用ナプキン１Ｂにおいては、図６に示すように、内方凸部８ｂ１の長さが、外方凸部８ａ１の長さよりも高いため、内方凸部８b１に形成される防漏壁７の部分よりも外方凸部８ａ１に形成される防漏壁７の部分の方が幅方向への自由度が抑えられる事になり、使用者の足の動きや装着状態（姿勢）等による外的な応力が生じた場合に、防漏壁７が吸収体４上に倒れこみにくくなる。
【００３８】
次に、本発明の第３実施形態の生理用ナプキンについて、図７，図８に基づいて説明する。
第３実施形態の生理用ナプキン１Ｃについては、第１実施形態の生理用ナプキン１Ａ及び第２実施形態の生理用ナプキン１Ｂと異なる点について説明する。特に説明しない点は、第１実施形態の生理用ナプキン１Ａ又は第２実施形態の生理用ナプキン１Ｂと同様であり、第１実施形態の生理用ナプキン１Ａ及び第２実施形態の生理用ナプキン１Ｂの説明が適宜適用される。
【００３９】
第３実施形態の生理用ナプキン１Ｃの伸縮性シート６は、図７及び図８に示すように、
伸縮性シート６の長手方向（ＣＬ線方向）の一側部６ａが、表面シート２の長手方向（ＣＬ線方向）の側部における肌当接面に接合され、伸縮性シート６の長手方向（ＣＬ線方向）の他側部６ｂも吸収性本体５の側部５ａにおける肌当接面側に接合されている。第３実施形態の生理用ナプキン１Ｃにおいては、伸縮性シート６は、図８に示すように、伸縮性シート６の長手方向の一側部６ａの非肌当接面側のシート６２の表面が、表面シート２の肌当接面側の表面に接合されて接合部８ａを形成している。また、伸縮性シート６の長手方向の他側部６ｂの非肌当接面側のシート６２の表面が、表面シート２の肌当接面側の表面に接合されて接合部８ｂを形成している。
【００４０】
第３実施形態の生理用ナプキン１Ｃの伸縮性シート６の接合部８ｂは、吸収性本体５の長手方向（ＣＬ線方向）の側部５ａに、長手方向に沿って連続して形成されている。一方、伸縮性シート６の接合部８ａは、排泄部領域ａからその後方にかけての領域ｂに、表面シート２と接合されていない非接合部８ａ２を有している。接合部８ａは、非接合部８ａ２以外の部分においては、吸収性本体５長手方向（ＣＬ線方向）の側部５ａに、長手方向に沿って連続して形成されている。
【００４１】
次に上述した本発明の第３実施形態の生理用ナプキン１Ｃを使用した際の作用効果について説明する。
第３実施形態の生理用ナプキン１Ｃにおいては、図７，図８に示すように、伸縮性シート６の一側部６ａ及び他側部６ｂが、表面シート２の肌当接面側の表面に接合されて接合部８ａ，８ｂを形成している。そのため、伸縮性シート６の収縮により、ループ状に起立した防漏壁７を形成する際、伸縮性シート６の一側部６ａ側の防漏壁７の起立側端は、接合部８ａに沿って形成され、伸縮性シート６の他側部６ｂ側の防漏壁７の起立側端は、吸収体４に沿って形成される。第３実施形態の生理用ナプキン１Ｃの接合部８ａは、排泄部領域ａからその後方にかけての領域ｂに、表面シート２と接合されていない非接合部８ａ２を有しているため、第３実施形態の生理用ナプキン１Ｃは、領域ｂにおいて、伸縮性シート６の一側部６ａ側の防漏壁７に起立側端を有さず、フリーな状態となり、それに対応して、防漏壁７の高さが部分的に高い高壁部７１を形成する。このように、第３実施形態の生理用ナプキン１Ｃの防漏壁７は、排泄部領域ａからその後方にかけての領域ｂに、高壁部７１を有しているため、個装の際の折癖が生じても、ループ形状の防漏壁と装着者との間に隙間を生じ難いので、防漏壁を装着者に密着させることができ、生理用ナプキン１Ｃの漏れ防止性を高めることができる。
【００４２】
また、第３実施形態の生理用ナプキン１Ｃにおいては、図７，図８に示すように、接合部８ａの非接合部８ａ２が、領域ｂにおいて、表面シート２と接合されていないため、装着者の体液が表面シート２の表面を幅方向外方に移動してきた際、その移動を妨げることなく、体液が吸収体４にスムーズに移行する。そのため、吸収スピードが向上する。
【００４３】
本発明の吸収性物品は、上述の第１、第２及び第３実施形態の生理用ナプキンに何ら制限されるものではなく、また、上述の第１、第２及び第３実施形態の生理用ナプキンにおける各構成要件は、本発明の趣旨を損なわない範囲で、適宜変更可能である。
【００４４】
例えば、上述の第１、第２及び第３実施形態の生理用ナプキン１Ａ，１Ｂ，１Ｃにおいては、防漏壁７は、排泄部領域ａからその後方にかけての領域ｂに、高壁部７１を有しているが、排泄部領域ａからその前方にかけての領域ｃに、高壁部７１を有していてもよく、領域ｂ及び領域ｃそれぞれに、高壁部７１を有していてもよい。
【００４５】
また、上述の第１、第２実施形態の生理用ナプキン１Ａ，１Ｂにおいては、接合部８ａの外方凸部８ａ１、接合部８ｂの内方凸部８ｂ１が何れも湾曲した形状であるが、屈曲した形状であってもよい。
【００４６】
また、上述の第１実施形態の生理用ナプキン１Ａにおいては、図３に示すように、伸縮性シート６の長手方向の一側部６ａの非肌当接面側のシート６２の表面が、表面シート２の肌当接面側の表面に接合されて接合部８ａを形成しており、第２及び第３実施形態の生理用ナプキン１Ｂ，１Ｃにおいては、図５，図８に示すように、伸縮性シート６の長手方向の一側部６ａ及び他側部６ｂの非肌当接面側のシート６２の表面が、表面シート２の肌当接面側の表面に接合されて接合部８ａ，８ｂを形成しているが、図９に示すように、伸縮性シート６の長手方向の一側部６ａ及び他側部６ｂがループ状の防漏壁７の中空内に折り返されて、肌当接面側のシート６１の表面が、表面シート２の肌当接面側の表面に接合されて接合部８ａ，８ｂを形成していてもよい。
【００４７】
また、上述の第２、第３実施形態の生理用ナプキン１Ｂ，１Ｃにおいては、図４，図７に示すように、伸縮性シート６の長手方向（ＣＬ線方向）の他側部６ｂが、吸収体４上であって、吸収性本体５の側部５ａに接合されているが、他側部６ｂが、吸収体４よりも幅方向（ＣＬ線方向と直交する方向）の外方（Ｘ５方向）であって、表面シート２の長手方向（ＣＬ線方向）側部における肌当接面に接合されていてもよい。
【００４８】
本発明の吸収性物品は、生理用ナプキン以外にも、例えば、使い捨ておむつ、失禁者用パッド等に好適に用いることができる。
【図面の簡単な説明】
【００４９】
【図１】本発明の第１実施形態である生理用ナプキンの斜視図である。
【図２】本発明の第１実施形態である生理用ナプキンの要部の斜視図である。
【図３】図２に示す生理用ナプキンのＸ１−Ｘ１線断面図である。
【図４】本発明の第２実施形態である生理用ナプキンの要部の斜視図である。
【図５】図４に示す生理用ナプキンのＸ２−Ｘ２線断面図である。
【図６】本発明の第２実施形態である生理用ナプキンの要部の平面図である
【図７】本発明の第３実施形態である生理用ナプキンの要部の斜視図である。
【図８】図７に示す生理用ナプキンのＸ３−Ｘ３線断面図である。
【図９】本発明の他の実施形態である生理用ナプキンの要部の斜視図である。
【符号の説明】
【００５０】
１Ａ，１Ｂ，１Ｃ  生理用ナプキン
２  表面シート
３  裏面シート
３１  ウイング部
３２  粘着部
４  吸収体
４１  凹欠部
５  吸収性本体
５ａ，５ａ’  吸収性本体の長手方向の両側部
６，６’  伸縮性シート
６１  肌当接面側のシート
６２  非肌当接面側のシート
６３，６３’  弾性部材
６ａ  一側部
６ｂ  他側部
７，７’  防漏壁
７１  高壁部
７ａ  頂部
８ａ  一側部側の接合部
８ａ１  外方凸部
８ａ２  非接合部
８ｂ  他側部側の接合部
８ｂ１  内方凸部
８ｃ  括れ部
９  エンボス溝
【図１】
2010110558.tif 000003
【図２】
2010110558.tif 000004
【図３】
2010110558.tif 000005
【図４】
2010110558.tif 000006
【図５】
2010110558.tif 000007
【図６】
2010110558.tif 000008
【図７】
2010110558.tif 000009
【図８】
2010110558.tif 000010
【図９】
2010110558.tif 000011